(57)【要約】【課題】サーバに保存されている情報を携帯端末により閲覧する際に、通信圏外でもユーザが所望の情報を閲覧することができるともに、閲覧した情報等を携帯端末に残さないようにして高いセキュリティレベルを確保する。【解決手段】サーバに保存されている情報を携帯端末（携帯電話）により閲覧する際に（ステップＳ１０）、携帯電話が通信圏外に入ることが予測されると（ステップＳ１２）、ユーザが閲覧するであろう情報を予測して携帯端末内に一時的にキャッシュとして保存する（ステップＳ１４、Ｓ１６））。そして、閲覧要求時に携帯電話が通信圏内にある場合には、その要求に対応する情報をサーバから取得し、携帯電話が通信圏外にある場合には、キャッシュとして保存した情報から取得して表示する。また、キャッシュとして保存された情報は、閲覧が終了し又は携帯端末が通信圏内になると削除される。【選択図】  図４
2011082756.tif 000002
【特許請求の範囲】
【請求項１】
携帯端末により閲覧される情報が保存されたサーバと、前記サーバと通信して前記保存された情報から所望の情報を取得する携帯端末とからなる情報閲覧システムにおいて、
前記携帯端末が通信圏外となることを予測する通信圏外予測手段と、
前記通信圏外予測手段により前記携帯端末が通信圏外となることが予測されると、その後、ユーザが閲覧するであろう情報を予測する閲覧情報予測手段と、
前記閲覧情報予測手段により予測された情報を前記サーバから予め取得して前記携帯端末内に一時的にキャッシュとして保存する情報一時保存手段と、
ユーザが閲覧する情報の閲覧要求を指示するための閲覧要求指示手段と、
前記閲覧要求指示手段からの閲覧要求時に前記携帯端末が通信圏内にある場合には、前記閲覧要求に対応する情報を前記サーバから取得し、前記携帯端末が通信圏外にある場合には、前記閲覧要求に対応する情報を前記情報一時保存手段から取得する情報取得手段と、
前記情報取得手段により取得した情報を表示する表示手段と、
前記情報一時保存手段に情報が保存された後、前記携帯端末が通信圏内となり、かつ前記通信圏外予測手段により前記携帯端末が通信圏外となることが予測されない場合には、前記情報一時保存手段に保存された情報を削除する一時情報削除手段と、
を備えたことを特徴とする情報閲覧システム。
【請求項２】
前記一時情報削除手段は、前記通信圏外予測手段により前記携帯端末が一定時間以上、通信圏内になることが予測された場合には、前記情報一時保存手段に保存された情報を削除することを特徴とする請求項２に記載の情報閲覧システム。
【請求項３】
前記一時情報削除手段は、前記情報一時保存手段に保存された情報を削除する際に、ユーザが閲覧済みの情報を優先的に削除することを特徴とする請求項１又は２に記載の情報閲覧システム。
【請求項４】
前記携帯端末は携帯電話であり、携帯電話ネットワークを通じて前記サーバと通信することを特徴とする請求項１から３のいずれかに記載の情報閲覧システム。
【請求項５】
前記携帯端末は、無線ＬＡＮを通じて前記サーバと通信することを特徴とする請求項１から３のいずれかに記載の情報閲覧システム。
【請求項６】
前記携帯端末により閲覧する情報は、電子メール、ウェブサイトの情報、又は電子掲示板の情報であることを特徴とする請求項１から５のいずれかに記載の情報閲覧システム。
【請求項７】
前記携帯端末は、該携帯端末の位置を取得する位置情報取得手段を有し、
前記通信圏外予測手段は、通信圏外の領域を示す地図情報を記憶する地図情報記憶手段を有し、前記位置情報取得手段により取得された位置情報の履歴と、前記地図情報記憶手段に記憶された地図情報とに基づいて該携帯端末が通信圏外となることを予測することを特徴とする請求項１から６のいずれかに記載の情報閲覧システム。
【請求項８】
前記通信圏外予測手段は、前記携帯端末がサーバと通信する際に使用する基地局の位置を取得する基地局位置取得手段を有し、前記基地局位置取得手段により取得された基地局の位置に基づいて該携帯端末が通信圏外となることを予測することを特徴とする請求項１から６いずれかに記載の情報閲覧システム。
【請求項９】
前記通信圏外予測手段は、前記携帯端末とサーバとの通信時における電波強度が予め設定された閾値を下回ったとき、又は該電波強度が予め設定された閾値を下回る時間が一定の時間を越えたときに該携帯端末が通信圏外となることを予測することを特徴とする請求項１から６いずれかに記載の情報閲覧システム。
【請求項１０】
前記閲覧情報予測手段は、ユーザが閲覧している情報と並列に記憶されている情報を予測することを特徴とする請求項１から９のいずれかに記載の情報閲覧システム。
【請求項１１】
前記閲覧情報予測手段は、ユーザが閲覧している情報と結び付けられた情報を予測することを特徴とする請求項１から１０のいずれか記載の情報閲覧システム。
【発明の詳細な説明】
【技術分野】
【０００１】
本発明は情報閲覧システムに係り、特にサーバに保存されている情報を携帯端末により閲覧する情報閲覧システムに関する。
【背景技術】
【０００２】
近年の携帯電話やスマートフォンの普及によって携帯端末上で、企業内の電子メールや電子掲示板などをセキュアに閲覧するためのサービスが広く普及している。これらのサービスは、移動時間などの空いた時間にちょっとした業務をこなすことができるなど非常に便利なものとして支持が高い。
【０００３】
しかし、これらの多くは携帯端末上にデータを貯めずに都度ネットワークからデータをダウンロードして閲覧することでセキュリティを確保しているため、地下鉄などネットワークが不通な場所では使用できないという問題がある。
【０００４】
このような問題を解決するため、ネットワーク不通時から復旧した際のデータ再取得、ネットワーク不通の予知に関する技術開発も多くなされている。
【０００５】
特許文献１には、サーバからデータを取得して閲覧する携帯端末において、ユーザの利用の予測に基づいて予めサーバから所定のデータをキャッシュデータとして保存しておき、ネットワーク不通時に携帯端末で閲覧された情報に関する更新情報があった場合に、ネットワーク復旧後に携帯端末に更新された情報を送ってキャッシュを更新する通信システムが開示されている。
【０００６】
特許文献２には、携帯端末の位置情報を通信圏外通知サーバに送付し、通信圏外通知サーバは自身の持つマップデータベースに基づいて携帯端末の移動位置が通信圏外と推測される際に通信圏外通知を携帯端末へ送付する移動通信システムが開示されている。
【０００７】
特許文献３には、移動端末装置において通信不能状態に移行した位置情報と通信不能時間を記憶しておいて、その情報を元に通信不能となる位置を予測する移動端末装置が開示されている。
【先行技術文献】
【特許文献】
【０００８】
【特許文献１】特開２００８−１９９４０２号公報
【特許文献２】特開２００４−３６４２２３号公報
【特許文献３】特開２００７−２５１８４０号公報
【発明の概要】
【発明が解決しようとする課題】
【０００９】
特許文献１に記載の発明は、ユーザの利用の予測に基づいて所要の情報を常時取得して保存するため、利用されない情報も保存され、通信量が増加するという問題がある。また、ユーザが欲しい情報は必ずしもネットワーク不通時に更新された情報とは限らず、また取得したキャッシュが携帯端末上に残るため、セキュリティ的な懸念がある。
【００１０】
特許文献２に記載の発明は、携帯端末が通信圏外に入ることを予測し、その旨をユーザに伝えるものであり、サーバに保存されている情報を携帯端末により閲覧するシステムではない。尚、携帯端末自体に通信不能となる位置の情報を蓄積する必要がないという点は参考になる。
【００１１】
特許文献３に記載の発明は、位置情報を利用している点は参考になるが、通信不能位置の学習が充分でないと実用的ではないため、初めて行く場所でも使えるようにするという点に改善の余地がある。
【００１２】
本発明はこのような事情に鑑みてなされたもので、サーバに保存されている情報を携帯端末により閲覧する際に、通信圏外でもユーザが所望とする情報を閲覧することができるとともに、閲覧した情報等を携帯端末に残さないようにして高いセキュリティレベルを確保することができる情報閲覧システムを提供することを目的とする。
【課題を解決するための手段】
【００１３】
前記目的を達成するために請求項１に係る発明は、携帯端末により閲覧される情報が保存されたサーバと、前記サーバと通信して前記保存された情報から所望の情報を取得する携帯端末とからなる情報閲覧システムにおいて、前記携帯端末が通信圏外となることを予測する通信圏外予測手段と、前記通信圏外予測手段により前記携帯端末が通信圏外となることが予測されると、その後、ユーザが閲覧するであろう情報を予測する閲覧情報予測手段と、前記閲覧情報予測手段により予測された情報を前記サーバから予め取得して前記携帯端末内に一時的にキャッシュとして保存する情報一時保存手段と、ユーザが閲覧する情報の閲覧要求を指示するための閲覧要求指示手段と、前記閲覧要求指示手段からの閲覧要求時に前記携帯端末が通信圏内にある場合には、前記閲覧要求に対応する情報を前記サーバから取得し、前記携帯端末が通信圏外にある場合には、前記閲覧要求に対応する情報を前記情報一時保存手段から取得する情報取得手段と、前記情報取得手段により取得した情報を表示する表示手段と、前記情報一時保存手段に情報が保存された後、前記携帯端末が通信圏内となり、かつ前記通信圏外予測手段により前記携帯端末が通信圏外となることが予測されない場合には、前記情報一時保存手段に保存された情報を削除する一時情報削除手段と、を備えたことを特徴としている。
【００１４】
請求項１に係る発明によれば、携帯端末が通信圏外に入ることが予測されると、ユーザが閲覧するであろう情報を予測して携帯端末内に一時的にキャッシュとして保存しておき、閲覧要求時に携帯端末が通信圏内にある場合には、閲覧要求に対応する情報をサーバから取得し、携帯端末が通信圏外にある場合には、閲覧要求に対応する情報をキャッシュとして保存した情報から取得して表示する。これにより、地下鉄などの通信状態が安定しない場所でもユーザが所望とする情報を継続して閲覧することができるようにしている。一方、キャッシュとして保存された情報は、携帯端末が通信圏内となり、かつ携帯端末が通信圏外となることが予測されない場合には削除される。これにより、閲覧した情報及び閲覧しようとする情報が携帯端末に残らないようにし、高いセキュリティレベルを確保するようにしている。
【００１５】
請求項２に示すように請求項１に記載の情報閲覧システムにおいて、前記一時情報削除手段は、前記通信圏外予測手段により前記携帯端末が一定時間以上、通信圏内になることが予測された場合には、前記情報一時保存手段に保存された情報を削除することを特徴としている。
【００１６】
請求項３に示すように請求項１又は２に記載の情報閲覧システムにおいて、前記一時情報削除手段は、前記情報一時保存手段に保存された情報を削除する際に、ユーザが閲覧済みの情報を優先的に削除することを特徴としている。
【００１７】
請求項４に示すように請求項１から３のいずれかに記載の情報閲覧システムにおいて、前記携帯端末は携帯電話であり、携帯電話ネットワークを通じて前記サーバと通信することを特徴としている。
【００１８】
請求項５に示すように請求項１から３のいずれかに記載の情報閲覧システムにおいて、前記携帯端末は、無線ＬＡＮを通じて前記サーバと通信することを特徴としている。
【００１９】
請求項６に示すように請求項１から５のいずれかに記載の情報閲覧システムにおいて、前記携帯端末により閲覧する情報は、電子メール、ウェブサイトの情報、又は電子掲示板の情報であることを特徴としている。携帯端末が通信圏外になっても、これらの情報を引き続き閲覧することができる。
【００２０】
請求項７に示すように請求項１から６のいずれかに記載の情報閲覧システムにおいて、前記携帯端末は、該携帯端末の位置を取得する位置情報取得手段を有し、前記通信圏外予測手段は、通信圏外の領域を示す地図情報を記憶する地図情報記憶手段を有し、前記位置情報取得手段により取得された位置情報の履歴と、前記地図情報記憶手段に記憶された地図情報とに基づいて該携帯端末が通信圏外となることを予測することを特徴としている。
【００２１】
前記位置情報取得手段としては、携帯端末に搭載されているＧＰＳ装置（Global Positioning System)を適用することができる。この位置情報取得手段により得られる携帯端末の位置情報の履歴と通信圏外の領域を示す地図情報とから、所定時間後に通信圏外に入ることを予測することができる。
【００２２】
請求項８に示すように請求項１から６のいずれかに記載の情報閲覧システムにおいて、前記通信圏外予測手段は、前記携帯端末がサーバと通信する際に使用する基地局の位置を取得する基地局位置取得手段を有し、前記基地局位置取得手段により取得された基地局の位置に基づいて該携帯端末が通信圏外となることを予測することを特徴としている。携帯端末が通信を行っている基地局の位置により携帯端末の位置（場所）を検知することができる。例えば、携帯端末が、地下鉄の駅に設置されている基地局と通信している際には、今後通信圏外に入ることを予測することができる。
【００２３】
請求項９に示すように請求項１から６のいずれかに記載の情報閲覧システムにおいて、前記通信圏外予測手段は、前記携帯端末とサーバとの通信時における電波強度が予め設定された閾値を下回ったとき、又は該電波強度が予め設定された閾値を下回る時間が一定の時間を越えたときに該携帯端末が通信圏外となることを予測することを特徴としている。
【００２４】
請求項１０に示すように請求項１から９のいずれかに記載の情報閲覧システムにおいて、前記閲覧情報予測手段は、ユーザが閲覧している情報と並列に記憶されている情報を予測することを特徴としている。例えば、あるリストに含まれる情報を順次閲覧している場合には、そのリストに含まれる情報を閲覧情報として予測する。
【００２５】
請求項１１に示すように請求項１から１０のいずれかに記載の情報閲覧システムにおいて、前記閲覧情報予測手段は、ユーザが閲覧している情報と結び付けられた情報を予測することを特徴としている。情報同士が相互にリンクされているものを閲覧している場合、そのリンクされている情報を次に閲覧する情報として予測する。
【発明の効果】
【００２６】
本発明によれば、携帯端末が通信圏外に入ることが予測されると、ユーザが閲覧するであろう情報を予測して携帯端末内に一時的にキャッシュとして保存しておき、閲覧要求時に携帯端末が通信圏内にある場合には、閲覧要求に対応する情報をサーバから取得し、携帯端末が通信圏外にある場合には、閲覧要求に対応する情報をキャッシュとして保存した情報から取得して表示するようにしたため、通信圏外になっても継続して所望の情報を閲覧することができ、また、キャッシュとして保存された情報は、携帯端末が通信圏内となり、かつ携帯端末が通信圏外となることが予測されない場合には削除されるため、高いセキュリティレベルを確保することができる。
【図面の簡単な説明】
【００２７】
【図１】本発明に係る情報閲覧システムの実施形態を示すシステム構成図である。
【図２】前記情報閲覧システムを構成するサーバの内部構成を示すブロック図である。
【図３】前記情報閲覧システムを構成する携帯端末（携帯電話）の内部構成を示すブロック図である。
【図４】本発明に係る情報閲覧システムによる情報閲覧と通信圏外予測に基づいて一次情報保存を行う部分のフローチャートである。
【図５】本発明に係る情報閲覧システムによる一時情報の削除に関するフローチャートである。
【発明を実施するための形態】
【００２８】
以下、添付図面に従って本発明に係る情報閲覧システムの実施の形態について説明する。
【００２９】
〔システム構成〕
図１は本発明に係る情報閲覧システムの実施形態を示すシステム構成図である。
【００３０】
この情報閲覧システムは、主としてイントラネット４０に接続されたサーバ１０と、ユーザの携帯電話２０とから構成され、携帯電話２０とサーバ１０とは、基地局３０、携帯電話ネットワーク３２、図示しない携帯キャリア及びイントラネット４０を介して相互に通信できるようになっている。
【００３１】
尚、サーバ１０は、イントラネット４０に限らず、インターネット等の他のネットワークに接続されたものでもよい。また、本システムは、携帯電話２０に限らず、スマートフォン、ＰＨＳ、携帯情報端末（ＰＤＡ）等の他の携帯端末にも適用でき、携帯電話ネットワーク３２に限らず、無線ＬＡＮを介して通信を行う場合にも適用できる。
【００３２】
図２はサーバ１０の内部構成を示すブロック図である。
【００３３】
図２に示すようにサーバ１０は、主として演算手段１２、一次記憶手段１４、二次記憶手段１６、及び通信手段１８から構成されている。
【００３４】
演算手段１２は、サーバ上で動作する情報配信などのプログラムが動作する部分で、ＣＰＵなどが考えられる。一次記憶手段１４は、演算手段１２で実行されるプログラムを記憶する領域で、ＤＲＡＭなどが考えられる。二次記憶手段１６は、携帯電話２０で閲覧される情報が蓄積される手段であり、ＨＤＤ（ハードディスクドライブ)やＳＳＤ(Solid State Drive)などが考えられる。
【００３５】
通信手段１８は、携帯電話２０とサーバ１０での情報のやり取りなどの通信を行うための手段で、携帯電話ネットワークの通信規格(GSM, PDC, CdmaOne, Cdma2000, W-CDMA, GRPS, HSPDA)の通信を行うもの、無線通信 (WiFi、WiMAX)を行うものなどが考えられる。
【００３６】
図３は携帯電話２０の内部構成を示すブロック図である。
【００３７】
図３に示すように携帯電話２０は、主として演算手段２１、リードオンリーメモリ（ＲＯＭ）２２、ランダムアクセスメモリ（ＲＡＭ）２３、操作部２４、ＧＰＳ装置２５、表示手段２６、及び通信手段２７から構成されている。尚、通常の携帯電話として機能するためのマイクやスピーカ等も設けられているが、図３では省略されている。
【００３８】
演算手段２１は、操作部２４から入力される操作信号に基づき所定の制御プログラムに従って携帯電話２０の全体を統括制御する部分で、ＣＰＵなどが考えられる。ＲＯＭ２２には、携帯電話２０を動作させるための制御プログラム、本発明に係る情報閲覧用のアプリケーションソフト、及び携帯電話の通信圏外の領域を示す地図情報等が記憶されており、演算手段２１は制御プログラムやアプリケーションソフトに従って所要の演算を行うとともに各部を制御する。尚、ＲＯＭ２２は、例えばフラッシュＲＯＭで構成することができ、上記アプリケーションソフトや地図情報等は適宜書き込み又は書き換えができるようになっている。
【００３９】
ＲＡＭ２３は、演算手段２１による演算作業領域、及び携帯電話２０により閲覧する情報の一時記憶領域として利用される。
【００４０】
操作部２４は、テンキー、マルチファンクションの十字キー、実行キー、キャンセルキー等で構成されている。
【００４１】
ＧＰＳ装置２５は、携帯電話２０の現在位置を測位し、その現在位置（緯度、経度、高度）及び時刻のＧＰＳ情報を取得する。取得されたＧＰＳ情報は、アプリケーションソフト上で、ユーザの現在位置を示す情報として使用される。
【００４２】
表示手段２６は、液晶表示器で構成されており、各種設定操作を行なう際のユーザインターフェースとして利用されるとともに、テキストや画像等の閲覧する情報を表示する表示器として利用される。
【００４３】
通信手段２７は、基地局３０を介して無線通信することにより、他の携帯電話やイントラネット４０上のサーバ１０と通信を行う。
【００４４】
〔本システムの動作〕
次に、本システムの動作について、図４及び図５を参照しながら説明する。
【００４５】
図４は本発明に係る情報閲覧システムによる情報閲覧と通信圏外予測に基づいて一次情報保存を行う部分のフローチャートである。
【００４６】
・ユーザ情報閲覧（ステップＳ１０）
まず、本発明に係る処理の大前提としてユーザによる情報の閲覧がある。ユーザ（社員等）によって閲覧される情報は、サーバ１０の二次記憶手段１６に保存された企業内の各種文書、電子メールである。尚、文書、電子メールの他に、ウェブサイト、電子掲示板などが考えられるが、これに限定されるものではなく、静止画、動画、音声など携帯端末で閲覧しうるものであれば、いかなるものでも良い。これらの情報の種類によって、後述するユーザ閲覧情報の予測方法が異なってくる。
【００４７】
サーバ１０は、イントラネット４０の外部からアクセスしてきた携帯電話２０に対して、携帯電話２０により要求された文書等を二次記憶手段１６から取得し、その文書等を携帯電話２０で閲覧可能なフォーマット（例えば、ビットマップ形式のデータ）に変換して送信する機能を備えている。これによって、様々なフォーマットで二次記憶手段１６に保存されている企業内の文書等を外出先の携帯電話２０で閲覧することができるようになっている。
【００４８】
・通信圏外予測（ステップＳ１２）
ユーザが所持する携帯電話２０がまもなく通信圏外になるかどうかを予測する。通信圏外になるケースとしては、地下鉄、過疎地域などが考えられるが、予測方法はいくつかに別れる。
【００４９】
ａ）位置情報を使用する場合
例えば、携帯電話２０に設けられたＧＰＳ装置２５から取得されるＧＰＳ情報と、ＲＯＭ２２に記憶されている通信圏外の領域を示す地図情報とに基づいて通信圏外になるかどうかを予測する。例えば、携帯電話２０の位置が、通信圏外の領域に接近している場合には、一定時間経過後に通信圏外になる可能性があるため、通信圏外になると予測することができる。また、ＧＰＳ情報の履歴から移動速度及び移動方向を求め、現在の位置から一定時間経過後の移動予測位置に基づいて通信圏外になるか否かを予測してもよい。この場合には、より精度の高い通信圏外の予測ができる。
【００５０】
ｂ）基地局の位置を使用する場合
例えば、携帯電話２０や公衆無線ＬＡＮの基地局が設置されている位置を用いて、今後、通信圏外になりうるかを予測する。具体的には、地下鉄の駅に設置された基地局と通信している際には、今後通信圏外になりうると予測するという方法が考えられる。また、直近で圏外=>圏内=>圏外=>圏内を繰り返していた際には、まだ地下鉄に乗っている可能性があると見て圏外になりうると予測することもできる。
【００５１】
ｃ）電波強度を使用する場合
上記ａ），ｂ）の場合は、携帯電話自身の位置や基地局などの位置情報に基づいて通信圏外予測を行っていたが、ここでは単純に携帯電話２０と基地局との通信における電波強度を使用し、電波強度がある閾値を下回った際に通信圏外になると予測する。この時、電波強度が閾値を下回る時間が一定の時間を超えた際に通信圏外になると予測してもよい。
【００５２】
一方、通信圏外と予測されず一定期間通信圏内で有り続けた際を通信圏内と見なしても良い。予測結果が「圏外」となった場合には「ユーザ閲覧情報予測」へ、「圏内」となった場合には「一時情報削除」へと遷移する。
【００５３】
・ユーザ閲覧情報予測（ステップＳ１４）
ステップＳ１０における「ユーザ情報閲覧」で、ユーザが閲覧している情報操作から、携帯電話２０（閲覧情報予測手段）は、次にユーザが閲覧するであろう情報を予測する。予測には、閲覧している情報に応じて以下のような方法が考えられる。
【００５４】
ａ）あるリスト内に含まれる情報を順次閲覧している場合
例えば、メールボックスに含まれた新着電子メールを順次閲覧する場合などが考えられる。この場合には、ユーザは新着順、または到着順に電子メールなどを閲覧していると考えられ、同メールボックスに含まれた電子メールを次に閲覧する情報として予測することができる。これと同様の例は、電子掲示板などでも考えられる。
【００５５】
ｂ）情報同士が相互にリンクされているものを見ている場合
例えば、ウェブサイトを見ているときが典型的な例であるが、ある文章からある文章にリンクしているハイパーテキストなどでは現在閲覧しているページからリンクされているページを次に閲覧する情報として予測することができる。
【００５６】
ｃ）ある大きな情報を逐次見ている場合
例えば、ある長い文章や動画を閲覧している場合であるが、この場合には単純にユーザが閲覧し進める方向が分かっているため、時間軸上で手前にあるものから順次予測の対象とすればよい。
【００５７】
・一次情報保存（ステップＳ１６）
携帯電話２０は、ステップＳ１４における「ユーザ閲覧情報予測」で予測された情報をサーバ１０から取得し、携帯電話２０に一時的にキャッシュとして保存する。この時、一時情報は揮発性の高いメモリ（ＲＡＭ２３）などに保存しておくことが望ましい。また、保存の際には万が一携帯電話２０を紛失した場合などの情報漏洩を避けるため、暗号化して保存しておくことが好ましい。
【００５８】
・ユーザ閲覧継続（ステップＳ１８）
ユーザが閲覧を継続している場合には、ステップＳ１０の「ユーザ情報閲覧」に遷移し、ステップＳ１０からステップＳ１８の処理を繰り返す。ここで、ステップ１０での「ユーザ情報閲覧」時に通信圏外になり、サーバ１０と通信できなくなった場合には、一時的に保存された情報（予測された情報）を読み出して閲覧する。
【００５９】
・一次情報完全削除（ステップＳ２０）
ユーザが情報の閲覧を継続していない場合には、携帯電話２０は、メモリに保存した一次情報を完全に削除する。これにより、携帯電話２０上にはサーバ１０から取得した情報が残らないため、万が一紛失した際などに情報が漏洩するリスクが低くなる。
【００６０】
図５は本発明に係る情報閲覧システムによる一時情報の削除に関するフローチャートである。尚、図４に示した情報閲覧と通信圏外予測の動作と後述の一時情報の削除の動作とは非同期で動作している。
【００６１】
一時情報削除は一次情報閲覧とは独立して実施されても問題がない。何故なら通信圏外になり得ない状況の時に一次情報を削除しているからである。仮にユーザが一次情報を閲覧している際に削除したとしても、通信圏内なのでサーバ１０から情報を取得できる。
【００６２】
・通信圏外予測（ステップＳ３０）
図４に示したステップ１２と同様にして、ユーザが所持する携帯電話２０がまもなく通信圏外になるかどうかを予測する。
【００６３】
・圏内安定確認（ステップＳ３２）
携帯電話２０は、通信圏内の状態が安定しているかを確認する。例えば、通信圏内となってから一定の時間が経過したかどうかを判定し、経過した後には通信圏内の状態が安定しているとして、「一次情報完全削除」（ステップＳ３４）へと遷移させる。一定時間経過していない場合には、一次情報削除のフローを終了する。
【００６４】
尚、ステップＳ３０における「通信圏外予測」の方法として、ＧＰＳ情報の履歴から移動速度及び移動方向を求め、現在の位置から一定時間経過後の移動予測位置に基づいて通信圏外になるか否かを予測する方法を採用し、携帯電話２０が通信圏内となり、かつ一定時間経過後に再び通信圏外となることが予測されない場合には、直ちに「一次情報完全削除」（ステップＳ３４）に遷移するようにしてもよい。
【００６５】
・一時情報完全削除（ステップＳ３４）
携帯電話２０はＲＡＭ２３にキャッシュとして保存した一時情報を完全に削除する。これにより、携帯電話２０上にはサーバ１０から取得した情報が残らないため、万が一携帯電話２０を紛失した際などに情報が漏洩するリスクが低くなる。
【００６６】
〔その他〕
尚、この実施の形態では、通信圏外の領域を示す地図情報を携帯電話２０に記憶させるようにしたが、これに限らず、サーバ１０側に記憶させ、携帯電話２０が現在位置に関連してサーバ１０から必要な地図情報を取得するようにしてもよい。また、携帯電話２０が通信圏外となることを予測する通信圏外予測手段は、携帯電話側に設けるようにしたが、これに限らず、携帯電話の位置情報（ＧＰＳ情報や基地局）の情報を携帯電話又は携帯キャリア等からサーバ１０が取得することにより、サーバ１０が携帯電話２０の通信圏外の予測を行うようにしてもよい。この場合、携帯電話２０が通信圏外に入ることが予測されると、サーバ１０はその旨を携帯電話２０に通知する。
【００６７】
更に、この実施の形態では、ユーザが閲覧している情報操作から携帯電話２０が、次にユーザが閲覧するであろう情報を予測しているが、この予測は、サーバ１０が行うようにしてもよい。
【００６８】
また、この実施の形態では、企業内のイントラネット上のサーバ１０の情報を閲覧する場合について説明したが、サーバ１０はインターネット等の他のネットワーク上に接続されたものでもよく、また、閲覧する情報の種類も企業内の情報に限定されず、ウェブサイトの情報などの種々のものが適用できる。
【００６９】
本発明は上述した実施の形態に限定されず、本発明の精神を逸脱しない範囲で種々の変形が可能であることは言うまでもない。
【符号の説明】
【００７０】
１０…サーバ、１２、２１…演算手段、１４…一次記憶手段、１６…二次記憶手段、１８、２７…通信手段、２０…携帯電話、２２…ＲＯＭ、２３…ＲＡＭ、２４…操作部、２５…ＧＰＳ装置、２６…表示手段、３０…基地局、３２…携帯電話ネットワーク、４０…イントラネット
【図１】
2011082756.tif 000003
【図２】
2011082756.tif 000004
【図３】
2011082756.tif 000005
【図４】
2011082756.tif 000006
【図５】
2011082756.tif 000007